(57)【特許請求の範囲】
【請求項１】
全閉時に引き戸が当接する戸先側縦枠と引き戸裏面の上框部が当接する壁開口部上枠と引き戸裏面の後縦框部が当接する壁開口部縦枠とに凹溝部が形成されこの凹溝部に弾性を有する遮煙材が挟み込まれて防火遮煙構造を形成し、
引き戸下框部の壁開口部側溝壁内にも弾性を有する遮煙材が防火材によって挟み込まれてなる防火遮煙構造をなした防火遮煙体が装着され、
更にレール上に吊車によって転動自在に吊設され自閉手段を備えた片引き戸において
引き戸全閉近傍で壁開口部側に湾曲された２本のレールが同一直線上あるいは互いに平行に敷設され上記のそれぞれのレール上には引き戸を鉛直にしかも開閉方向の床面に対し水平に配設させる接続具を介して設けられた前と後の吊車がそれぞれ載設され、
上記のそれぞれのレール先端部には引き戸全閉時に上記防火遮煙体が床面に接地するように接地手段が設けられ、
また上記吊車がレール湾曲部に達した時、全閉側に引き戸を引き寄せるため、戸先上面には、先端に回転可能なガイド車輪を有するレバーとこのレバーを回転可能に軸支して戸先上面に取り付けするためのレバーブラケットと引っ張りバネとによって構成された強制引き寄せ装置が設けられ、一方戸先縦枠側でこの強制引き寄せ装置と対向する位置に引き寄せ案内板が設けられ、この強制引き寄せ装置と引き寄せ案内板とによって全閉側に強制的に引き戸を引き寄せる全閉引き寄せ手段が具備され、
更に引き戸下框部の溝壁内に引き戸の鉛直を保持するためのガイド車が床面から配設され、この溝壁内にはまた吊車がレール湾曲部に達した時、上記ガイド車に当接してしかもレール湾曲部に沿った方向に引き戸下框部を圧接すべく傾斜部材が設けられ、
引き戸全閉時に引き戸裏面側で下框部を除く３方と引き戸下框部の床面とで合計壁開口部の４方が弾性遮煙材により圧接され塞がれている
ことを特徴とする遮煙機能を有する自閉式防火引き戸装置
【請求項２】
自閉手段がレールを傾斜させて敷設することでありこのレールは引き戸全閉近傍で壁開口部側に湾曲されるがその先端部には上記接地手段を設けないものであることを特徴とする請求項１記載の遮煙機能を有する自閉式防火引き戸装置
【請求項３】
引き戸が両引き分け方式の２枚戸であり全閉時に引き戸戸先が当接する対象が戸先側縦枠ではなくて召し合わせ部でありこの召し合わせ部に凹溝部が形成されこの凹溝部に弾性を有する遮煙材が挟み込まれてなる防火遮煙構造が設けられ壁枠開口部の中心に対して左右対称にそれぞれ片引き戸における構成が設けられていることを特徴とする請求項１記載または請求項２記載の遮煙機能を有する自閉式防火引き戸装置
【請求項４】
引き戸にガラス入りの覗き窓が設けられこのガラスが甲種防火戸基準または乙種防火戸基準に合格するものであることを特徴とする請求項１乃至請求項３の何れか１項に記載の遮煙機能を有する自閉式防火引き戸装置
【発明の詳細な説明】
【０００１】
【発明の属する技術分野】
本発明は係止装置により常開係止され緊急時は自動操作により係止解除されて自閉して壁開口部を塞ぐ際、壁開口部の四方と密接して煙の外部流出を阻止するように構成された防災用引き戸とその装置に関するものである。
【０００２】
【従来の技術】
引き戸は当初手動による開け閉めであり、次第に電動、空圧、油圧、弾機、錘などの非手動手段が用いられるようになって自動化・半自動化が進んできた。半自動化というのは開放時には手動で自動閉鎖という意味である。防火戸もまた半自動化のものが多く、更に煙感知機や火災報知機等と連動させ、遠隔操作で自動閉鎖する引き戸が提供されてきており、更に特開昭５５−９８５８４号公報記載のような閉鎖スピードを制御しながら閉鎖する技術も開発されてきていた。
【０００３】
ところが近年の火災は火による焼死よりもむしろ煙により窒息死する率が高い傾向があるため防火戸は単に類焼阻止だけでなく煙害事故防止にも重点を置かれるようになってきており、従来の引き戸類は防火に関してはその役割を十分に果たしているものの火災の発生と共に生ずる煙を遮蔽することが出来なかった。
【０００４】
遮煙するためには開き戸閉鎖時に壁開口部の隙間をなくする方策をとらねばならなく、その方法は引き戸自身を壁開口部に密着させるとか隙間に遮煙体を設けることが必要であった。前者の先行技術として古くは特公昭３９−１２４４２号公報ように閉鎖と同時に密着させるスライディング防熱扉や特開平１１−７９０６９号公報に記載のように案内レール開口部付近で壁側に湾曲させて密着させる方法があり、後者の技術としては特許第２６７４４２４号公報記載のようにエレベータ用乗場遮煙ドア装置等の技術が開示されてきていた。
【０００５】
【発明が解決しようとする課題】
しかしながら特公昭３９−１２４４２号公報のものも特開平１１−７９０６９号公報のものも防火戸に必須の自閉機能を備えてなく、また特許第２６７４４２４号公報記載のものはエレベータ乗降用の出入口に設けられた引き戸には有効であるが通常一般の位置に設けられた防火用の引き戸には有効ではないという不都合がある。本発明はかかる不都合を解決することを目的として提供されたものである。
【０００６】
【課題を解決するための手段】
本発明は弾性遮煙材を防火材でサンドイッチ状に挟み込んで火から遮煙材を守るという構成を壁開口部の周りに施し引き戸で塞ぐことにより不都合を解決した。すなわち一つには全閉時に引き戸が当接する戸先側縦枠と引き戸裏面の上框部が当接する壁開口部上枠と引き戸裏面の後縦框部が当接する壁開口部縦枠とに凹溝部が形成されこの凹溝部に弾性を有する遮煙材が挟み込まれて防火遮煙構造を形成し、引き戸下框部の壁開口部側溝壁内にも弾性を有する遮煙材が防火材によって挟み込まれてなる防火遮煙構造をなした防火遮煙体が装着され、更にレール上に吊車によって転動自在に吊設され自閉手段を備えた片引き戸において引き戸全閉近傍で壁開口部側に湾曲された２本のレールが同一直線上あるいは互いに平行に敷設され上記のそれぞれのレール上には引き戸を鉛直にしかも開閉方向の床面に対し水平に配設させる接続具を介して設けられた前と後の吊車がそれぞれ載設され、上記のそれぞれのレール先端部には引き戸全閉時に上記防火遮煙体が床面に接地するように接地手段が設けられ、また上記吊車がレール湾曲部に達した時、全閉側に引き戸を引き寄せるため、戸先上面には、先端に回転可能なガイド車輪を有するレバーとこのレバーを回転可能に軸支して戸先上面に取り付けさせるためのレバーブラケットと引っ張りバネとによって構成された強制引き寄せ装置が設けられ、一方戸先縦枠側でこの強制引き寄せ装置と対向する位置に引き寄せ案内板が設けられ、この強制引き寄せ装置と引き寄せ案内板とによって全閉側に強制的に引き戸を引き寄せる全閉引き寄せ手段が具備され、更に引き戸下框部の溝壁内に引き戸の鉛直を保持するためのガイド車が床面から配設され、この溝壁内にはまた吊車がレール湾曲部に達した時、上記ガイド車に当接してしかもレール湾曲部に沿った方向に引き戸下框部を圧接すべく傾斜部材が設けられ、引き戸全閉時に引き戸裏面側で下框部を除く３方と引き戸下框部の床面とで合計壁開口部の４方が弾性遮煙材により圧接され塞がれていることを特徴とする遮煙機能を有する自閉式防火引き戸装置であり、また一つには自閉手段がレールを傾斜させて敷設することでありこのレールは引き戸全閉近傍で壁開口部側に湾曲されしかも先端部に上記接地手段を設けないものであることを特徴とする遮煙機能を有する自閉式防火引き戸装置であり、また一つにはこの構成を引き分け方式の両引き戸に採用したものであり片引き戸における戸先側縦枠に設けた凹溝部を形成させてこの凹溝部に弾性遮煙材を挟み込んだ防火遮煙構造を両引き戸の召し合わせ部に設け壁枠開口部の中心に対し左右対称にそれぞれを片引き戸の構成で設計したことを特徴とする遮煙機能を有する自閉式防火引き戸装置である。
【０００７】
これらの遮煙機能を有する自閉式防火引き戸装置にしてもエレベータ前に設置した場合、一旦エレベータから降りた際非常事態によりこの防火戸が閉じていても外部の状況が確認できないため次の行動がとれないという不都合があるためその解決手段を設けたものを発明した。それはすなわち上記構成の引き戸にガラス入りの覗き窓が設けられこのガラスが建築基準法施行令第１１０条、平成２年建設省告示第１１２５に定められた甲種防火戸基準または乙種防火戸基準に合格するものであることを特徴とする遮煙機能を有する自閉式防火引き戸装置である。
【０００８】
引き戸に備えられた自閉手段は弾機を用いても良いし、重錘を用いても良いし、傾斜レールを用いても良いし、その他の方法を用いても良い。また自閉時の加速による危険防止のため同時に調速装置も用いることが好ましい。
【０００９】
また、引き戸下框部溝壁内の弾性遮煙材が防火材によって挟み込まれてなる防火遮煙構造は床面に対して凹溝部が形成されこの凹溝部に弾性遮煙材を挟み込んだ構成でユニット式の防火遮煙体とすれば取り付けがより簡単になる。また、レール湾曲部に吊車が達した際の引き戸引き寄せ手段とはレールの湾曲に打ち勝って引き戸を全閉位置まで到達させる手段であり、その方法は自閉手段の弾機の強さ、重錘の重さ、レール傾斜角度などを増加させてその条件を満足させても良いし、別に独自の強制的な引き寄せ装置を設けても良い。
【００１０】
また、ここでいうレール先端部に設けられた接地手段とは引き戸全閉時に同時に防火遮煙体を床面に接地させるため吊車を誘導する方策であって例えばレール先端に傾斜を設けるとか段差を設けるとかあるいは吊車を落とし込む溝穴を設ける等の細工をすることをいう。この傾斜をレールの湾曲部から開始すればその傾斜は引き戸の引き寄せ手段になりかつ防火遮煙体の接地手段にもなる。引き戸の自閉手段としてレールを傾斜して敷設した場合、その傾斜は自閉手段、引き寄せ手段、接地手段の三つを兼ねることになるが、引き寄せ手段はレールの湾曲部からの傾斜をそれまでの敷設傾斜角度よりも更に大きくすることが好ましい。
【００１１】
次に本発明の装置の動作を説明すると本発明装置は自閉装置を有するため一旦係止解除されると引き戸は自閉する。また２本のレールを平行に敷設しているため前と後の吊車はそれぞれ同じ方向に同じ動作するし、両車とも同位置でのレール湾曲のため湾曲部から引き戸は壁開口部側を圧接する方向に動く。その際湾曲部では進行方向に対して分力が働いて自閉力が軽減されるため引き寄せ手段により引き寄せ力を付加させて閉じさせる。全閉時はレール湾曲のため引き戸上框部は壁開口部側に圧接され、また引き戸下框部もガイド車と傾斜部材によりレール湾曲側に圧接されるため引き戸全体が壁開口部側に圧接されることになってバリアフリーの引き戸下面を除いて３方が遮煙されることになる。ところが引き戸全閉時にはレール先端部に設けられた接地手段により溝壁内に設けられた防火遮煙体が床面に接地するため最終的には都合壁開口部の４方面とも引き戸による遮煙が完了する。また弾性遮煙材は凹溝部が形成された中に挟み込まれた防火遮煙構造のため弾性遮煙材は圧接されて直接火に接することがないため、火災の発生と共に生ずる煙を遮蔽することが出来る。
【００１２】
また次第に煙が弱まって火勢が強くなって弾性遮煙材が溶け始めても引き寄せ手段によりその分更に引き戸は順次引き寄せられレールの湾曲と接地手段とにより枠体と引き戸との隙間及び床面と引き戸との隙間は小さくなって防火の役目も十分に機能を果たすことになる。
【００１３】
【発明の実施の形態】
以下本発明の遮煙機能を有する自閉式防火引き戸装置実施例１を図に基づいて説明すると図１はレール２ａ、２ｂ上に吊車３ａ、３ｂにより吊設され車の転動自在に往復する遮煙機能を有する自閉式防火引き戸装置を設置した場合の一例を示す正面図であり、図２は図１におけるＡ−Ａ断面図、図３は図１におけるＢ−Ｂ断面図であり、図４は図１におけるＣ−Ｃ断面図であり、図５は溝壁内に設けられた弾性遮煙体の断面とガイド車装着図である。また、本実施例１は引き戸自閉手段としてレールの傾斜を利用したものである。
【００１４】
まずその構成を説明すると、引き戸１は防火戸であり、平行でしかも傾斜して敷設され先端が壁側に湾曲した２本のレール２ａ、２ｂ上にそれぞれの吊車３ａ、３ｂを設けた引き戸１が吊り下げられ、吊車３ａ、３ｂと引き戸１は引き戸１が鉛直にしかも開閉方向の床面と水平になるように配設させる接続具４ａ、４ｂを介して接続され引き戸１はレールに沿って自在に動く。引き戸１は全開時においては係止装置（図示せず）により係止され、この係止装置は緊急時火災報知機や煙感知機等と連動して遠隔操作で係止解除されて引き戸１が自閉するように構成されてなる。
【００１５】
壁開口部の縦枠５で引き戸１裏面の後縦框部に当接する部分と、壁開口部の上枠２１で引き戸１裏面の上框部に当接する部分とにはそれぞれ図２、図３に示すように各枠に凹溝部６が設けられて弾性遮煙材７が挟み込まれている。また引き戸１の戸先側縦枠８には図４に示すように戸先が入り込むように凹形溝が形成されているがその凹形溝内に更に上記したのと同様の凹溝部６が設けられて弾性遮煙材７が挟み込まれている。
【００１６】
また図５に示すように引き戸１下框部の溝壁９内にも床面に対して凹溝部６が形成されこの凹溝部６に弾性遮煙材７が挟み込まれている防火遮煙構造をもった防火遮煙体１０が装着されている。更に溝壁９内側には図５に示すように引き戸１の振れを規制するガイド車１１が引き戸全閉時の戸尻側の床面に載置固定されてあり、傾斜レールに沿って引き戸１は移動するため引き戸１がいずれの位置にあってもガイド車１１が溝壁９内からはずれないために溝は深溝であることが好ましい。また図６において引き戸１閉鎖方向は矢印の方向である。引き戸１の吊車３ａ、３ｂがレール２ａ、２ｂ上の湾曲部に達するのと同時にガイド車１１により引き戸１の下框部もまた湾曲方向すなわち白抜き矢印方向に圧接されるように溝壁９内に傾斜部材１２が設けられている。
【００１７】
また引き戸１の戸先側上面には図７、図８に示す強制引き寄せ装置１３が設けられ、引き戸戸先側縦枠８で強制引き寄せ装置１３と対向する位置には引き寄せ案内板１４が設けられている。
【００１８】
図７は強制引き寄せ装置１３と引き寄せ案内板１４との関連位置を示す正面図、図８は図７の上面図である。強制引き寄せ装置１３の構成を説明すると１枚の平板からなるレバー１５の先端部に回転可能なガイド車輪１６が軸枢着されレバー１５中間部には引っ張りバネ１７の一方が係止される係止軸１８が設けられレバー１５の後端部は引き戸上面に装着されレバー１５が回転のための支点軸１９を持ちしかも前後端が折り曲げられてなるレバーブラケット２０に回転可能な状態で軸着されている。後部の折り曲げ部は引っ張りバネ１７のもう一方端が係止される部分でありバネ係止穴（図示せず）が設けられている。前部の折り曲げ部は引っ張りバネ１７の両端係止部を結ぶ直線上あるいはそれより上にレバーブラケット２０の支点軸１９がくるようにレバー停止位置を調整するためのレバーストッパである。
【００１９】
次に強制引き寄せ装置１３の動作を説明すると、引き戸１の前後の吊車３ａ、３ｂが２本のレール２ａ、２ｂ上の湾曲部に達すると同時にレバー１５の先端部のガイド車輪１６が対向位置にある引き寄せ案内板１４の先に衝突してガイド車輪１６が上向きに上がる。すると今まで直線上に並んで引っ張りバネ１７のバランスをロックしていたものが崩れて引っ張りバネ１７の復元力によってレバー１５は支点軸１９を中心に回転し始めてガイド車輪１６が引き寄せ案内板１４上を駆け上がり引き寄せ案内板１４の頂点まで達すると今度はガイド車輪１６の軸を中心に引っ張りバネ１７の復元力により更にレバーブラケット２０の支点軸１９が回転しようとするため引き戸１は全閉方向へ強制的に引き寄せられることになる。
【００２０】
今度は強制引き寄せ装置１３解除の動作を説明すると引き戸１を開放してゆくとレバー１５先端のガイド車輪１６が上昇して案内板１４の頂点に達すると今度は案内板１４の反対側の壁を伝わりながら下降して来る。そして案内板１４のうちガイド車輪１６が閉鎖時に衝突した側と反対側の端部に最終的に当接する時支点軸１９が引っ張りバネ１７の両端係止部を結ぶ直線上あるいはそれより上の位置になって引っ張りバネ１７はバランスがとれてレバー１５は安定固定されることになる。
【００２１】
次に本実施例１の動作を説明すると一旦手動により全開位置まで開かれた引き戸１は係止装置（図示せず）により係止される。火災報知器や煙感知器が作動すると非常信号により係止装置の係止が解除されて引き戸１は傾斜レールにより次第に閉じてゆく。引き戸１の前後の吊車３ａ、３ｂが２本のレール２ａ、２ｂ上の湾曲部に達すると同時に図６に示すように引き戸１下框部の溝壁９内を通過するガイド車１１に溝壁９に設けられた傾斜部材１２も接触し始め強制引き寄せ装置１３により引き寄せられるに従って引き戸１は下りながら壁面側に圧接されてゆき、全閉位置まで達した時は引き戸底部に設けられた防火遮煙体１０もまた接地され壁面開口部の４方面はすべて圧接されて煙は遮断されることになる。当初に火に煽られても弾性遮煙材７は枠体により囲まれてなるために焼失せず防火遮煙効果が発揮できることになる。
【００２２】
続いて実施例２について説明する。図９は実施例２の自閉式防火両引き戸装置を設置した場合の一例を示す正面図である。これは実施例１の構成を引き分け方式の両引き戸に採用したものであり片引き戸における戸先側縦枠に設けた凹溝部を形成させこの凹溝部に弾性遮煙材を挟み込んだ防火遮煙構造を図１０に示すように両引き戸の召し合わせ部に設け、壁枠開口部の中心に対し左右対称にそれぞれ片引き戸の構成でもって設計した遮煙機能を有する自閉式防火両引き戸装置である。
【００２３】
これは実施例１の構成と変わらないが強制引き寄せ装置用の案内板１４の取り付けが実施例１と同じようには取り付けることが出来ないため一例として図１１に示すような格好にして壁側から取り付けなければならない。また、各部の部品製作にあたっては壁枠開口部の中心に対して左右対称であるため左右勝手のある部品となることを考慮しなければならない。また、召し合わせ部は実施例１の戸先側縦枠に設けられた凹形溝の機能と同様どちら側からの火煙にも対応できるように図１０に示すように召し合わせ部が互いにかぶる状態になっていることがより望ましい。これら一つ一つの引き戸の動作については実施例１と同様であるため説明を省略する。
【００２４】
続いて実施例３について説明する。図１２は実施例３の覗き窓２２を設けた自閉式防火両引き戸装置を設置した場合の一例を示す正面図である。これは甲種防火戸の基準を充たすガラスとして厚さ５ｍｍの超耐熱結晶化ガラスを用いて防火戸製作したものである。また用途によっては乙種防火戸の基準を充たすガラスを用いても良いためその場合は厚さ５ｍｍの耐熱板ガラスあるいは網入りガラスを用いれば良い。この引き戸装置は覗き窓２２を設けた以外の構成及び動作は実施例２と同様であるため説明を省略する。
【００２５】
【発明の効果】
本発明の装置は引き戸が全閉時にレール湾曲のため壁開口部側に圧接され、また引き戸下框部も防火遮煙体が床面に接地して合計４方とも引き戸により遮煙が完了できる。また弾性遮煙材は凹溝部が形成された中に挟み込まれた防火遮煙構造のため全体が直接火に接することがないため、火災の発生と共に生ずる煙を遮蔽することが出来てしかもその後は防火の役目も十分に機能を果たすことが出来るという効果がある。またガラス入りの覗き窓を設けてなるため反対側の状況がすぐに確認できるという効果もある。
【図面の簡単な説明】
【図１】本発明実施例１の引き戸装置を壁開口部手前に設置した全体正面図
【図２】壁開口部縦枠と引き戸との関係断面図で図１におけるＡ−Ａ断面図
【図３】壁開口部上枠と引き戸との関係断面図で図１におけるＢ−Ｂ断面図
【図４】引き戸縦枠凹溝内での弾性遮煙材の装着断面図で図１におけるＣ−Ｃ断面図
【図５】溝壁内に設けられた弾性遮煙体の断面とガイド車装着図
【図６】引き戸下框部における溝壁内への傾斜部材装着及びガイド車の装着断面図
【図７】強制引き寄せ装置１３と案内板１４との関係位置を示す正面図
【図８】強制引き寄せ装置１３と案内板１４との関係位置を示す上面図
【図９】実施例２の引き戸装置を壁開口部手前に設置した全体正面図
【図１０】引き分け方式両引き戸の召し合わせ部断面図
【図１１】強制引き寄せ装置１３と案内板１４との取付状況を示す正面図
【図１２】実施例３の引き戸装置を壁開口部手前に設置した全体正面図
【符号の説明】
１  引き戸
２ａ、２ｂ  レール
３ａ、３ｂ  吊車
４ａ、４ｂ  接続具
５  壁開口部の縦枠
６  凹溝部
７  弾性遮煙材
８  引き戸戸先側縦枠
９  溝壁
１０  防火遮煙体
１２  傾斜部材
１３  強制引き寄せ装置
１４  案内板
１５  レバー
１６  ガイド車輪
１７  引っ張りバネ
１８  係止軸
１９  支点軸
２０  レバーブラケット
２１  壁開口部の上枠
２２  覗き窓
【図１】
0003837656.tif 000002
【図２】
0003837656.tif 000003
【図３】
0003837656.tif 000004
【図４】
0003837656.tif 000005
【図５】
0003837656.tif 000006
【図６】
0003837656.tif 000007
【図７】
0003837656.tif 000008
【図８】
0003837656.tif 000009
【図９】
0003837656.tif 000010
【図１０】
0003837656.tif 000011
【図１１】
0003837656.tif 000012
【図１２】
0003837656.tif 000013